(57)【特許請求の範囲】
【請求項１】
階段状のキャンドルスタンドの各階段に載置されたキャンドル収容容器内に、キャンドルの炎が特定の文字、図形、意匠を表わすように、予め各キャンドル収容容器内に一列状態で立設するキャンドルの配置を設定するとともに、各階段に載置されたキャンドル収容容器内に立設されたキャンドルの燃焼芯を導火線で接続し、少なくとも一本の主導火線を該導火線群と交差させて接続、または接触、あるいは近接させ、該主導火線に着火すると炎が順次主導火線から、各階段の導火線に分岐して伝播して、キャンドル収容容器内に立設されたキャンドル燃焼芯に着火し、階段状のキャンドルスタンドに載置されたキャンドル収容容器内に立設された多数のキャンドルの炎で特定の文字、図形、意匠を表わすよう構成したことを特徴とする装飾用灯火点灯装置。
【発明の詳細な説明】
【０００１】
【発明が属する技術分野】
本発明は、階段状のキャンドルスタンドの各階段に載置されたキャンドル収容容器内に立設された多数のキャンドルの燃焼芯を導火線で接続し、少なくとも一本の主導火線を該導火線群と交差させて接続、または接触、あるいは近接させて、主導火線に着火するだけで各階段に並べられたキャンドル収容容器内に立設した多数のキャンドルを自動的に着火させることができ、しかも着火したキャンドルの炎で文字、図形、意匠を表現することができる装飾用灯火点灯装置に関するものである。さらに、予め多数のキャンドルを立設したキャンドル収容容器を階段に載置し、主導火線を該導火線群と交差させて接続、または接触、あるいは近接させる簡単な作業だけで、現場で導火線を接続する等の煩雑な作業がない装飾用灯火点灯装置に関するものである。
【０００２】
【従来の技術】
複数のキャンドルの燃焼芯を導火線で連結し連続的に点火させる、連続着火キャンドルを使用した演出は、結婚式場、イベント会場等において従来より広く行われている。
また、実用新案登録第２５２３２５１号には、「１対のキャンドルの芯間にキャンドル燃焼芯が張設された支持棒頂部には、導火線紐が張設された可燃性部材が備えられている」構成を有する装飾用キャンドル同時着火装置が示されている。
【０００３】
【発明が解決しようとする課題】
しかし、実用新案登録第２５２３２５１号に示された装置では、使用に際しての準備に繁雑な手順を踏むことが必要となり、実際には結婚式場等においての使用は難しい装置である。
また、キャンドル用導火線により伝播される炎は、上記考案においては線状及びスポット状に、また結婚式場、イベント会場等において従来より広く行われている演出においては線状に伝播されるのみで、該導火線の炎による装飾効果は少ないものであった。
【０００４】
したがって、本発明の目的は、階段状に並べた多数のキャンドルの炎で文字、図形、意匠を表現する際に、キャンドル用導火線の伝える炎を線状やスポット状ではなく、灯火の炎を波状または面状に大きく広がるように伝播させる華やかな装飾効果をもたらす装飾用灯火点灯装置を提供することである。
さらに本発明の他の目的は、導火線の接続作業を簡単にして、会場での準備が短時間ででき、結婚式場、イベント会場等で使用できる装飾用灯火点灯装置を提供することである。
【０００５】
【課題を解決するための手段】
すなわち、本発明は、階段状のキャンドルスタンドの各階段に載置されたキャンドル収容容器内に、キャンドルの炎が特定の文字、図形、意匠を表わすように、予め各キャンドル収容容器内に一列状態で立設するキャンドルの配置を設定するとともに、各階段に載置されたキャンドル収容容器内に立設されたキャンドルの燃焼芯を導火線で接続し、少なくとも一本の主導火線を該導火線群と交差させて接続、または接触、あるいは近接させ、該主導火線に着火すると炎が順次主導火線から、各階段の導火線に分岐して伝播して、キャンドル収容容器内に立設されたキャンドル燃焼芯に着火し、階段状のキャンドルスタンドに載置されたキャンドル収容容器内に立設された多数のキャンドルの炎で特定の文字、図形、意匠を表わすよう構成したことを特徴とする装飾用灯火点灯装置である。
【０００６】
本発明の装飾用灯火点灯方法及び灯火点灯装置は、上記構成により、所定の位置に設けられた着火点に着火すると、該着火点源の炎は、あたかも水面に投げ込まれた小石により水面上に発生した波が伝わっていくように、キャンドル用導火線により波状に広がって伝播されていく。この炎の伝播状況は、線状やスポット状に該炎が伝えられる場合とは違った、面状に大きく広がる伝播炎の集合体、及び着火点源から時間の経過と共に拡大する面積点灯となる灯火の炎、と云う、全く新しい装飾効果をもたらすものである。
さらに、従来においては文字の形や図形、意匠の図柄模様、それ自体をなぞる様に該導火線炎が伝えられたが、本発明においては、文字、図形、意匠の形と無関係に規則的に該導火線の炎が伝播され、該導火線による伝播炎が通り過ぎた後には所望の文字、図形、意匠がキャンドルの炎で表出される。このように、本発明の装飾用灯火点灯方法及び灯火点灯装置は、結婚式場、イベント会場等において視覚的なアピール度の高い華やかな演出をすることが可能となり、感動的な場面を作り出すことができる、優れたものである。
【０００７】
【発明の実施の形態】
以下に、上記本発明の装飾用灯火点灯方法及び装飾用灯火点灯装置について詳細に説明する。
図１は本発明の装飾用灯火点灯装置の一例の斜視図である。多数のキャンドルを一列状態で立設することができるキャンドル収容容器５にキャンドル１を立設し該キャンドルの燃焼芯２をキャンドル用導火線３で接続又は該燃焼芯２をキャンドル用導火線３に接触あるいは近接させキャンドル立設体６とし、多数の該キャンドル立設体６を、階段状のステップ１１を有するキャンドル載置スタンド７に載せ置くと共に、階段状の該ステップ１１に並べた多数の該キャンドル立設体６のキャンドル用導火線３群と交差し結合又は接触あるいは近接する１本のキャンドル用導火線３を該キャンドル載置スタンド７の正面向かって左端部に設けた。キャンドル１を一列状態で立設し、該キャンドルの燃焼芯２をキャンドル用導火線３で接続又は該燃焼芯２をキャンドル用導火線３に接触あるいは近接させキャンドル立設体６とする。該キャンドル１は、表出しようとする文字、図形、意匠が必要とする所定の位置に配置される。このとき該キャンドル１と他のキャンドル１が配置される位置が離れていて該導火線３を張り延べる際に適切に張り延べにくい場合が生じることがある。このような場合には、該キャンドル１と他のキャンドル１との間の必要とされる位置にキャンドル用導火線支持棒４を配置して該導火線３を保持させても良い。該導火線支持棒４については、必要な部分にのみ使用すればよい。又、該キャンドル１又は該導火線支持棒４は、直線的な一列状態のみならず、弧を描くような曲線に一列状態で立設されてもよい。
さらに、多数のキャンドル１を一列状態で立設することができるキャンドル収容容器５に、該キャンドル１又は該導火線支持棒４を立設すれば、セッティングの手間が省け汎用性に富んだものとなる。該キャンドル収容容器５は、該キャンドル１下部の大きさ程度のくぼみを設ける等の手段や等間隔の印をつける等の手段により、多数の該キャンドル１を等間隔で立設することができるようにしても良い。このように規則的にキャンドルが配置されるような配慮がされていれば、キャンドルの炎で文字、図形、意匠等を表出させるのに、極めて都合が良い。該キャンドル収容容器５は細長形状が一般的であるが、他の形状であってもなんら差し支えない。又、直線的な細長形状であっても曲線的な細長形状であってもよい。該キャンドル収容容器５は、白濁していればキャンドルの明かりを受けて白く浮かび上がり好ましい照明効果を上げることができ、好ましい。他の色が必要であれば、所望の色の半透明の該キャンドル収容容器５を使用すれば、求める効果を得ることができる。もちろん透明であっても不透明であってもかまわない。塩化ビニル樹脂などは自己消火性に優れておりさらに光を透過させる素材であることから、又、ポリカーボネートは耐熱性に優れさらに光を透過させる素材であることから、共に好ましく用いられる。汎用性のある成形法としては、塩化ビニル樹脂やポリカーボネートなどのシート状物を用い真空成形法などで作成する方法がある。さらに、収容したキャンドル１が移動しない、熔融したろうがあふれ出さない、燃焼火炎によるダメージを受けにくい形状等の細かい配慮により、その形状を決定することが望ましい。収容したキャンドル１が移動しないためには、該キャンドル収容容器５のキャンドル収容部が使用するキャンドル１の下部がなるべくぴったり収まるような大きさ、形状であることが好ましい。又、粘着テープ、粘着剤、接着剤、ホットメルト接着法等で該キャンドル１を該キャンドル収容容器５内に固定してもよい。該キャンドル収容容器５は必要に応じて使用すれば良く、演出形態によって、使用しない場合、１個又は数個のキャンドルを収容する容器を使用する場合、など、適宜選択すれば良い。
本発明に使用されるキャンドル１は、一般的に使用されているキャンドルが使用可能である。熔融ロウによるロウ垂れや熱量の蓄積を避けるためにも、演出に必要とされる燃焼時間を確保できる程度の重量のキャンドルを使用すれば、演出終了時には熔融ロウの残量もごくわずかであり、後片付けの際に熔融ロウによりやけどを負うと云った危険性も少なくなる。さらに、該キャンドル１上部に突出するキャンドル燃焼芯２の長さを通常よりも長くしておけば、該導火線３を張り延べる際に扱いが容易になり好ましい。又、該支持棒４は該導火線３を保持する役目なので、簡単には燃えない素材であることが好ましく、また、該導火線３の燃焼を妨げず且つ燃焼火炎の視認を妨げないよう、あまり目立たない大きさ、形状であることが好ましい。例えば、細い棒状、針金状などの金属、木、セラミック、不燃性樹脂等が好ましい。例えば白色塗装されたスチール製の釘などが安価で好ましく用いられる。該支持棒４は該キャンドル１と同様の手段で該キャンドル収容容器５内に固定してもよいし、該キャンドル収容容器５と一体として成型してもよい。該支持棒４は該キャンドル収容容器５内に設置した状態で該キャンドル燃焼芯２と同程度の高さになるように長さを調整しておくと、該導火線３を張り延べる際に扱いが容易になり、好ましい。
該導火線３は、キャンドル用に一般的に使用されている導火線が支障なく使用できる。該導火線３は該キャンドル燃焼芯２又は該支持棒４と接着剤や粘着剤で接続されてもよいし、巻き付けたり絡み合わせたりして接続してもよい。又、該導火線３の炎が該キャンドル燃焼芯２に燃え移ることが十分できる状態であれば、接触あるいは近接させて設置してもよい。
【０００８】
上記キャンドル立設体６の多数は、該キャンドル立設体６に用いられたキャンドル用導火線３が規則的な配置となるよう、互いにある一定の関係を持った配置、パターン化された、あるいは所定の配置、例えば階段状等に配置される。それぞれの該キャンドル立設体６は同方向に配置される場合はもちろん、ある一定の角度を保って規則的に配置される場合もある。キャンドル１の燃焼火炎が他のキャンドル立設体６に熱的ダメージを与えないように配置される必要があるが、この条件が整えば該キャンドル用導火線３が規則的な配置となるように該キャンドル立設体６を配置すればよい。このように該キャンドル用導火線３が規則的な配置であれば、所定の位置に設けられた着火点１０に点火すると、文字、図形、意匠等の形状とは無関係に規則的に該導火線３の炎が伝播され、縦方向の炎が横方向へと伝播して行き、炎があたかも打ち寄せる波のごとく面状に大きく広がっていき、さらに、灯火の点灯域が着火点源から時間の経過と共に拡大する面積点灯となる、といった、今までに無い、視覚的装飾効果を生み出すことができる。
【０００９】
このように階段状に並べた多数のキャンドル立設体６のキャンドル用導火線群と交差し、結合又は接触あるいは近接する少なくとも１本の別のキャンドル用導火線を設け、この導火線への着火により、灯火の点灯域が着火点源１０から時間の経過と共に拡大する面積点灯となるように点灯する。この、該キャンドル立設体６のキャンドル用導火線３群と交差する該導火線３は、１本でもよいし又複数本が使用されてもよい。さらに、上記キャンドル用導火線３群との交差部位に関しては、結合されていれば確実に炎が伝播されるが、該導火線３により伝えられてきた炎が該交差部位において十分に他の該導火線３に伝播されるように配慮されているならば、接触あるいは近接による交差で、該導火線３の炎を伝播することが可能である。
該着火点１０は、該多数のキャンドル立設体のキャンドル用導火線３群と交差する該導火線３の、演出形態により着火しやすい部位、演出効果上必要とされる部位に決めればよい。なかでも、階段状に並べた多数のキャンドル立設体６の隅や中心など特定の場所に該着火点１０を設けることが演出効果上有利である場合が多い。本発明の装飾用灯火点灯方法及び装飾用灯火点灯装置においては、該多数のキャンドル立設体のキャンドル用導火線３群と交差する該導火線３に着火された時点から、本発明に特有の演出効果が開始される。よって、該多数のキャンドル立設体のキャンドル用導火線３群と交差する該導火線３以外の導火線やキャンドルに最初に着火され、その炎が導火線等により該多数のキャンドル立設体のキャンドル用導火線３群と交差する該導火線３に伝えられる構成であっても、炎が該多数のキャンドル立設体のキャンドル用導火線３群と交差する該導火線３に伝えられるまでの演出は従来より行われているものと同じである。また、該着火点１０への着火は、直接ライター、マッチ等で該着火点１０へ着火しても良いし、別に設置された他の装置やキャンドル等から導火線等で炎を導いて該着火点１０へ着火しても良い。
該着火点１０に着火すると、該着火点１０の炎は、あたかも水面に投げ込まれた小石により水面上に発生した波が伝わっていくように、キャンドル用導火線３により波状に広がって伝播されていき、時間の経過と共に拡大する面積点灯となるように、各キャンドル１を点灯させていく。
【００１０】
本発明のキャンドル立設体６はキャンドル載置スタンド７に載せ置いて使用してもよい。該キャンドル載置スタンド７は例えば、各該キャンドル立設体６をそれぞれ載せ置くことのできる階段状のステップ１１を有している。階段状となすその傾斜角度は、設置場所、演出形態などを考慮して適宜決定すればよい。該ステップ１１の幅、長さ等は特に一定である必要は無く、必要に応じて適宜決めればよい。又、該キャンドル載置スタンド７上で多数のキャンドル１を一斉に燃焼させることから、酸素欠乏により炎が不安定な燃焼状態となるのを防ぐ必要がある。さらに、多数の燃焼火炎による熱を効果的に逃がす必要もある。これらの目的には、該キャンドル載置スタンド７においては空気の通りをよくすることが効果的であり、各該ステップ１１間の立ち上がりに空間を設けることや空気の流入口を設けることは好ましい。
該キャンドル載置スタンド７の材質としては、主にアルミニウム、アルミニウム合金等の金属が軽量で造作し易く好ましい材質である。また、スチール、木、合成樹脂等も使用できる。さらに、これらの複合素材も使用可能である。強度的に大丈夫であれば、特に材質としては限定されない。
該キャンドル載置スタンド７の形状は例えば、図１に示すような、直線状の階段状ステップ１１を外観上四角形状に配置し、背部の足部で支えたもの、図２に示すような、円弧状又は曲線状の階段状ステップ１１を立体的に構成させたもの、図３に示すような、螺旋階段状に構成されたもの、などがある。また、多数の該キャンドル立設体６を扇形に載置することのできるもの、該キャンドル載置スタンド７の一部のみに該キャンドル立設体６を載置するもの、全体の形状がハート形状であるもの、等の形状が可能である。さらに、図４に示すように、該キャンドル載置スタンド７を脚部を有する他のスタンドに着脱可能に構成させることもできる。このように着脱可能に構成しておけば、演出の準備、後片付け等の際に手間が省け都合が良い。また、該キャンドル載置スタンド７の外周等に意匠を加えたものとすることもできる。
さらに、図７に示すように、該キャンドル立設体６の位置がずれたり該キャンドル立設体６が該キャンドル載置スタンド７のステップ１１から脱落するのを防ぐために、該ステップ１１にキャンドル収容容器保持部材８を設けてもよい。該収容容器保持部材８は該ステップ１１の前後端のいずれか又は両方に設けることができ、その形状は、キャンドル１の炎を視認するのに邪魔にならないものであることが好ましい。その一例としては、図７に示すような、比較的小さめの突起状物を該ステップ１１の前端に適度な間隔を空けて設置する、と云ったものがある。又、該収容容器保持部材８を柵状物や塀状物として構成させることもできる。該キャンドル立設体６のキャンドル用導火線３群と交差する導火線３は、着火点源１０の炎を確実に伝播するために二重にして張り延べてもよい。該キャンドル立設体６のキャンドル用導火線３群と交差する該導火線３が上下方向に設けられる場合には、着火した該導火線３が燃焼火炎に煽られて跳ね上がるのを防ぐために導火線ガイド９を設けてもよい。該導火線ガイド９としては、該導火線３が張り延べられる位置の該キャンドル載置スタンド７に、例えば図１及びぞ７に示すようにＬ字型に屈曲した金属などを適当な間隔を空けて設置する、と云ったものがある。このような該導火線ガイド９は、該導火線３を張り延べる際に該導火線３を導く案内となり設置手順を簡単にすることができる。さらに、一番上部に設置する該導火線ガイド９に環状の部位を設けておけば、該導火線３を該環状の部位を通すことによって張りを持たせて張り延べることができ、装置の設置上都合が良い。又、該導火線ガイド９はＬ字型に屈曲したものや環状の部位を持ったものばかりでなく、棒状のものや曲線状に作られたものであっても良い。さらに、螺旋状の金属線等を該導火線３設置部位の上下に張り渡し、該導火線３をこの螺旋状物に絡ませることで設置することもできる。
【００１１】
本発明の装飾用灯火点灯方法及び装飾用灯火点灯装置においては、多数のキャンドル立設体６を用いれば多様な文字、図形、意匠を表出することができ好ましい。一方、設置場所に制限がある場合や表出する意匠が簡単なものである場合には、該キャンドル立設体６は必ずしも多数が必要とされる訳ではなく、数個の該キャンドル立設体６で意匠の表出に十分な場合もある。さらに、数個の該キャンドル立設体６を１ユニットとし、該ユニットの複数を盛花等の他の演出形態と組み合わせることで多様な装飾用照明演出形態が可能となる。さらに、複数の該灯火点灯装置を組み合わせたり、連結させるなどすれば、より多様な図形、意匠を表出させたり、多くの文字を使う言葉や文章等の表出も可能となる。
【００１２】
【実施例】
次に、本発明の装飾用灯火点灯方法及び装飾用灯火点灯装置を実施例を用いて、さらに具体的に説明する。
実施例１：図７に示すような、アルミニウム合金製の厚み１．５〜２．０ｍｍのフレーム部材を使用し、階段状の１７段のステップが仰角４５度の角度で配置された、キャンドル載置スタンド（横７００ｍｍ、縦６３０ｍｍ、高さ６３０ｍｍ）を作成した。ステップ設置部の寸法は、横７００ｍｍ、縦８９５ｍｍである。又、キャンドル収容容器は図１０に示すようなものであり、長さ６４０ｍｍ、巾４０ｍｍ、高さ２０ｍｍの横一列に１７個の小型キャンドルを配置することができる細長形状のキャンドル収容容器を、厚み０．５ｍｍの塩化ビニル樹脂シートを用い、真空成形法で作成した。
又、使用したキャンドルは図９に示すようなものであり、底面の直径２０ｍｍ、高さ１０ｍｍのパラフィンワックスを半球状に成形してキャンドル燃焼剤とし、また木綿糸芯をワックス含浸処理し腰を持たせたキャンドル燃焼芯の一端をスチール製座金に固定し、これを該キャンドル燃焼剤の軸方向に挿入しキャンドルとした。なお、使用するキャンドルは、底部から燃焼芯の頂部まで３５ｍｍ程度となるように燃焼芯の長さを設定した。
また、キャンドル用導火線を張り渡す目的で使用するキャンドル用導火線支持棒は、図１１に示すようなものであり、直径２．２ｍｍ、長さ３５ｍｍの白色塗装されたスチール製釘を座金中央部に挿入固定し、直立性のあるキャンドル用導火線支持棒とした。
次に、図５に示すように、キャンドル載置スタンドの各段ステップに載せ置くキャンドル収容容器の所定部位に上記のキャンドル又は導火線支持棒をホットメルト接着法で接着固定した。さらに、長さが７００ｍｍのキャンドル用導火線の左端１００ｍｍ分を横列点火部位とし、残りの導火線を横一列に張り渡すように、キャンドル燃焼芯頂部あるいはキャンドル用導火線支持棒頂部にニトロセルロース系接着剤で接着固定し、キャンドル立設体とした。
次に、図１に示すように、手順として、まず、キャンドル載置スタンドの正面に向かって左縦列に長さが９００ｍｍのキャンドル用導火線を配し、その縦列導火線の上端及び下端を固定した。さらに、キャンドル立設体を最上段ステップに載せ置き、導火線の横列点火部位が上記の縦列導火線の上方に載せ置く形態で交差させた後に、横列点火部位の左端をスタンドに固定する。
同様に、上段ステップより下段ステップへと同様の作業段取りで１７段分のキャンドル立設体及び横列点火部位をセットした。
次に、上記の準備が整った後、照明を落とし薄暗がりの中で、図１に示す正面に向かって左下端部に設定した着火点にガスライターで点火した。
着火点より縦列導火線に点火された火は、最下段の方から横列点火部位に点火しながら駆け上って行き、点火後２０数秒ほどで縦列導火線の火が最上段の横列点火部位に点火、その間、下方より横方向に炎が面状に押し寄せる波のごとくに伝播される様が観察された。そして、伝播された炎が通り過ぎた後には、所定部位に配置されたキャンドルの炎が文字を順次形成していった。
そして、点火後５５秒足らずで、最上段に配置された横列導火線が燃え尽きる間に、図８に示すように、暗がりの中にキャンドルの炎による「ＬＯＶＥ」の文字が表出していった。
その後、１０分間灯したままとし、その間、多数のキャンドルの炎の熱でキャンドルが熔けていったにもかかわらず、座金に固定された燃焼芯を用いているため直立性が保たれていたばかりか、キャンドル収容容器内に熔けたロウを溜め置くことでロウ垂れを防ぐこともできた。
【００１３】
【発明の効果】
本発明の装飾用灯火点灯方法及び装飾用灯火点灯装置による装飾、演出効果は、所定の位置に設けられた着火点に点火すると、縦方向の炎が横方向へと伝播して行き、炎があたかも打ち寄せる波のごとく面状に大きく広がっていく。この炎の伝播する様、及び着火点源から時間の経過と共に拡大する面積点灯となる灯火の炎の様子は、従来行われていた線状やスポット状に炎が伝えられるのとは全く異なった演出形態である。
さらには、従来においては文字の形や図形、意匠の図柄模様、それ自体をなぞる様に導火線の炎が伝えられたが、本発明においては、文字図形の形状とは無関係に規則的に該導火線の炎が伝播され、該導火線による伝播炎が通り過ぎた後には所望の文字、図形、意匠がキャンドルの炎で表出される。
このように、本発明の装飾用灯火点灯方法及び装飾用灯火点灯装置は、結婚式場、イベント会場等において視覚的なアピール度の高い華やかな演出をすることが可能となり、感動的な場面を作り出すことができる、優れたものである。
【図面の簡単な説明】
【図１】本発明の装飾用灯火点灯装置の使用例の一例を示す斜視図である。
【図２】本発明の装飾用灯火点灯装置の使用例の他の一例を示す斜視図である。
【図３】本発明の装飾用灯火点灯装置の使用例のさらに他の一例を示す斜視図である。
【図４】本発明の装飾用灯火点灯装置の使用例のさらに他の一例を示す斜視図である。
【図５】本発明の装飾用灯火点灯装置におけるキャンドル立設体の一例を示す斜視図である。
【図６】本発明の装飾用灯火点灯装置におけるキャンドル載置スタンドの一例を示す斜視図である。
【図７】本発明の装飾用灯火点灯装置におけるキャンドル載置スタンドの他の一例を示す斜視図である。
【図８】本発明の装飾用灯火点灯装置の使用時の灯火点灯状態を示す斜視図である。
【図９】本発明の装飾用灯火点灯装置におけるキャンドルの一例を示す斜視図である。
【図１０】本発明の装飾用灯火点灯装置におけるキャンドル収容容器の一例を示す斜視図である。
【図１１】本発明の装飾用灯火点灯装置におけるキャンドル用導火線支持棒の一例を示す斜視図である。
【符号の説明】
１ キャンドル
２ キャンドル燃焼芯
３ キャンドル用導火線
４ キャンドル用導火線支持棒
５ キャンドル収容容器
６ キャンドル立設体
７ キャンドル載置スタンド
８ キャンドル収容容器保持部材
９ 導火線ガイド
１０ 着火点
１１ ステップ
【図１】
0004452892.tif 000002
【図２】
0004452892.tif 000003
【図３】
0004452892.tif 000004
【図４】
0004452892.tif 000005
【図５】
0004452892.tif 000006
【図６】
0004452892.tif 000007
【図７】
0004452892.tif 000008
【図８】
0004452892.tif 000009
【図９】
0004452892.tif 000010
【図１０】
0004452892.tif 000011
【図１１】
0004452892.tif 000012